(57)【要約】本発明の課題は、電池パックの装着が円滑に行えるとともに、電池パックと携帯電子機器本体との電気的接続を確実に行うことができ、しかも製造コストの削減を図るようにすることである。本発明において、電池室（２１）を形成するために電池パック（３）の装着（α）方向に沿った両側に設けた内壁面（２１Ａ・２１Ｂ）上で、かつ、電池室（２１）を形成するために内壁面（２１Ａ・２１Ｂ）に直交して設けた突当壁面（２１Ｃ）と交わる角隅部分の近傍で、電池室（２１）に設けた接続端子（２２）に対応して接続端子（２２）よりも高く設けた、略扇形状の昇降部（４１Ａ）及び適宜形状の押上部（４１Ｂ）と、昇降部（４１Ａ）及び押上部（４１Ｂ）に対面する電池パック（３）裏面の電池パック（３）幅方向の両側に、昇降部（４１Ａ）及び押上部（４１Ｂ）の扇形状の面に滑動しながら昇降して電池室（２１）に設けた接続端子（２２）を乗り越えるために扇形状に突出する乗上げ部（４２）とを設けた衝突回避機構（４）を備えた。これにより、電池パック（３）を電池室（２１）に装着させる際に、電池パック（３）は乗り上げ部（４２）が昇降部（４１Ａ）に乗り上がって、接続端子（２２）を安全に乗り越えることができる。
2004034488.tif 000002
【特許請求の範囲】
【請求項１】
筐体の操作部及び表示部を有する表面側とは反対の背面側の下部に略矩形凹状に窪んだ電池室を設けた携帯電子機器の本体と、前記本体の前記筐体背面に設けた前記電池室に着脱自在に収納する電池パックとを備えた携帯電子機器であって、
前記電池室を形成するために前記電池パックの装着方向に沿った両側に設けた内壁面上で、かつ、前記電池室を形成するために前記内壁面に直交して設けた突当壁面と交わる角隅部分の近傍で、前記電池室に設けた接続端子に対応して前記接続端子よりも高く設けた、略扇形状の昇降部及び適宜形状の押上部と、
前記昇降部及び押上部に対面する前記電池パック裏面の前記電池パックの幅方向の両側に、前記昇降部及び前記押上部の前記扇形状の面に滑動しながら昇降して前記電池室に設けた接続端子を乗り越えるために扇形状に突出する乗上げ部と
を設けた衝突回避機構を備えたことを特徴とする携帯電子機器。
【請求項２】
前記携帯電子機器の本体側の筐体部の前記昇降部と、前記携帯電子機器に前記電池パックを装着したときの前記電池パックの前記乗上げ部との間に、前記接続端子又は電池パックに備えた裏面電極の外面を清掃するクリーニング動作のための領域を確保したことを特徴とする請求項１に記載の携帯電子機器。
【請求項３】
携帯電子機器は、本体側の筐体が棒状を有する携帯電話機器であるとともに、
前記衝突回避機構は、
前記携帯電話機器の本体側の筐体に設けた前記昇降部を、前記電池パックの装着方向に向けて配向した略凹状円弧面で構成するとともに、
前記電池パックの前記乗上げ部を、前記電池パックの脱出方向に向けて配向した略凸状円弧面で構成し、かつ、
前記電池室内には、複数の前記接続端子を前記本体側の筐体の短手方向に沿って配設しているとともに、前記電池パックの裏面には前記電池室の前記接続端子に導通する複数の裏面電極を前記接続端子と対応する配置状態で設けたことを特徴とする請求項１又は２に記載の携帯電子機器。
【請求項４】
携帯電子機器は、本体側の筐体部がヒンジ部で互いに連結された上側筐体及び下側筐体を有する折畳式の携帯電話機器であるとともに、
前記衝突回避機構は、
前記携帯電子機器の本体側の前記下側筐体に設けた前記昇降部を、前記電池パックの装着方向に向けて配向した略凹状円弧面で構成するとともに、
前記電池パックの前記乗上げ部を前記電池パックの脱出方向に向けて配向した略凹状円弧面で構成し、
前記電池室内には、複数の前記接続端子を前記下側筐体の長手方向に沿って配設しているとともに、前記電池パックの裏面には前記電池室の前記接続端子に導通する複数の裏面電極を前記接続端子と対応する配置状態で設けたことを特徴とする請求項１又は２に記載の携帯電子機器。
【請求項５】
前記電池室内の複数の接続端子は、電池室の床面から垂直上方に突出しするとともに、前記垂直上方に変移自在に弾性力が付勢されたピン端子で構成したことを特徴とする請求項１乃至４のいずれか１項に記載の携帯電子機器。
【発明の詳細な説明】
【技術分野】  本発明は、着脱可能な電池パックを備えた携帯電子機器に係り、特に、電池パックのスムースな装着を実現できる携帯電子機器に関するものである。
【背景技術】  携帯電話機には、一般に、着脱可能な電池パックが電源用として用いられている。この電池パックは、通常、薄い板状などに形成されており、携帯電話機の本体の筐体背面下部などに設けた電池室に装着させるようになっている。
従来の携帯電話機、例えば棒状（ストレート型）携帯電話機及びこれに装着する電池パックについて、図１７を参照しながら具体的に説明する。
同図に示すように、携帯電話機の本体１００側の筐体１０１は、略箱状などに形成されており、筐体１０１の背面には電池室１０２を形成しているとともに、この電池室１０２の床面側には、後述する電池パック２００との電気的接合を図るためのばね端子１０３を筐体１０１の幅（Ｘ）方向に沿って複数個設けている。
一方、電池パック２００は、本体部分２０１が薄型箱状又は薄型板状などに形成されており、電池室１０２のばね端子１０３の設置位置に対応する部位、即ち、裏面部分の上端部側に裏面電極２０２を設けている。
また、この電池パック２００には、電池パック２００を電池室１０２へ装着させる場合に、電池室内１０２のばね端子１０３に電池パック２００の裏面側が強く接触するのを防止するため、電池室１０２内には押上げ突起１０４を左右一対設けているとともに、電池パック２００にはその押上げ突起１０４に係合する乗上げ突起２０３を裏面の一端部（先端部）両側に設けている。
このため、電池パック２００を電池室１０２へ装着させる際には、電池パック２００側の乗上げ突起２０３が電池室１０２側の押上げ突起１０４を乗り越えることにより、電池パック２００の裏面が電池室１０２側のばね端子１０３へ接触するのを防止するようになっている。
しかしながら、通常、この電池室１０２側の押上げ突起１０４及び電池パック２００側の乗上げ突起２０３は、略四角柱状に形成されており、電池パック２００は、乗上げ突起２０３を設けた先端部が押上げ突起１０４のところで略真上（Ｚ）方向に押し上げられた後、ばね端子１０３を通過直後に真下へ急激に落下する、といった乗上げ動作を行うようになっている。
このように、前述した構成の携帯電話機によれば、電池パック２００は、電池室１０２の床面に対して略９０度の垂直に近い角度で急降下する直線運動を行っているので、電池パック２００の装着動作にはどうしてもがたつきを生じやすい。
しかも、このような携帯電話機にあっては、電池室内１０２のばね端子１０３に電池パック２００の裏面側が強く衝突しないまでも、電池パック２００の裏面がばね端子１０３に摺動しながら装着されていくため、金属製のばね端子１０３の頂部が合成樹脂製の電池室１０２の裏面を少しずつ削り取っており、電池パック２００の裏面電極２０２との間に接触・導通不良をもたらす虞もある。
本発明は、上記した事情に鑑み、電池パックの着脱が円滑に行えるとともに、電池パックと携帯電子機器本体との電気的接続を確実に行うことができる携帯電子機器を提供することを目的とするものである。
【発明の開示】
本発明は、第１に、筐体の操作部及び表示部を有する表面側とは反対の背面側の下部に略矩形凹状に窪んだ電池室を設けた携帯電子機器の本体と、前記本体の前記筐体背面に設けた前記電池室に着脱自在に収納する電池パックとを備えた携帯電子機器であって、
前記電池室を形成するために前記電池パックの装着方向に沿った両側に設けた内壁面上で、かつ、前記電池室を形成するために前記内壁面に直交して設けた突当壁面と交わる角隅部分の近傍で、前記電池室に設けた接続端子に対応して前記接続端子よりも高く設けた、略扇形状の昇降部及び適宜形状の押上部と、
前記昇降部及び押上部に対面する前記電池パック裏面の前記電池パックの幅方向の両側に、前記昇降部及び前記押上部の前記扇形状の面に滑動しながら昇降して前記電池室に設けた接続端子を乗り越えるために扇形状に突出する乗上げ部と
を設けた衝突回避機構を備えたことを特徴としている。
これにより、電池パックの着脱が円滑に行えるとともに、電池パックと携帯電子機器本体との電気的接続を確実に行うことができる。
また、本発明は、第２に、前記携帯電子機器の本体側の筐体部の前記昇降部と、前記携帯電子機器に前記電池パックを装着したときの前記電池パックの前記乗上げ部との間に、前記接続端子又は電子パックに備えた裏面電極の外面を清掃するクリーニング動作のための領域を確保したことを特徴としている。
これにより、電池パックの着脱のたびに、この着脱動作に連動して接続端子及び電極の清掃が行えるので、長期間に亙り使用したり、埃などの多い環境下でも、電気的な接触不良の発生を防止できる。
また、本発明は、第３に、携帯電子機器は、本体側の筐体が棒状を有する携帯電話機器であるとともに、
前記衝突回避機構は、
前記携帯電話機器の本体側の筐体に設けた前記昇降部を、前記電池パックの装着方向に向けて配向した略凹状円弧面で構成するとともに、
前記電池パックの前記乗上げ部を、前記電池パックの脱出方向に向けて配向した略凸状円弧面で構成し、かつ、
前記電池室内には、複数の前記接続端子を前記本体側の筐体の短手方向に沿って配設しているとともに、前記電池パックの裏面には前記電池室の前記接続端子に導通する複数の裏面電極を前記接続端子と対応する配置状態で設けたことを特徴している。
これにより、棒状タイプの携帯電話機器において、衝突回避機構を簡単な構造のもので構成することができ、延いては製造コストの削減も図ることができる。
また、本発明は、第４に、携帯電子機器は、本体側の筐体部がヒンジ部で互いに連結された上側筐体及び下側筐体を有する折畳式の携帯電話機器であるとともに、
前記衝突回避機構は、
前記携帯電子機器の本体側の前記下側筐体に設けた前記昇降部を、前記電池パックの装着方向に向けて配向した略凹状円弧面で構成するとともに、
前記電池パックの前記乗上げ部を前記電池パックの脱出方向に向けて配向した略凹状円弧面で構成し、
前記電池室内には、複数の前記接続端子を前記下側筐体の長手方向に沿って配設しているとともに、前記電池パックの裏面には前記電池室の前記接続端子に導通する複数の裏面電極を前記接続端子と対応する配置状態で設けたことを特徴としている。
これにより、折畳タイプの携帯電話機器において、衝突回避機構を簡単な構造のもので構成することができ、延いては製造コストの削減も図ることができる。
また、本発明は、第５に、前記電池室内の複数の接続端子は、電池室の床面から垂直上方に突出しするとともに、前記垂直上方に変移自在に弾性力が付勢されたピン端子で構成したことを特徴としている。
これにより、電池パックは円軌道を描きながら装着されるので、精度の高い装着が可能となり、ピン端子と接触・導通するの電極の小型化を図ることができる。
【図面の簡単な説明】  図１は、本発明の第１の実施の形態に係る携帯電話機の本体及び電池パックを示す概略斜視図であり、
図２は、図１に示す携帯電話機の本体及び電池パックにそれぞれ設けた衝突回避機構を示す説明図であり、
図３は、図１に示す携帯電話機の本体に設けたピン端子を電池パックが乗り越える時の状態を示す説明図であり、
図４は、本発明の第１の実施の形態に係る携帯電話機の本体の電池室へ電池パックを装着する際の第１動作を示す説明図であり、
図５は、同様に、電池室へ電池パックを装着する際の第２動作を示す説明図であり、
図６は、同様に、電池室へ電池パックを装着する際の第３動作を示す説明図であり、
図７は、同様に、電池室へ電池パックを装着する際の第４動作を示す説明図であり、
図８は、同様に、電池室へ電池パックを装着する際の第５動作を示す説明図であり、
図９は、本発明の第２の実施の形態に係る携帯電話機の本体及び電池パックを示す概略斜視図であり、
図１０は、図９に示す携帯電話機の本体に設けたピン端子を電池パックが乗り越える時の状態を示す説明図であり、
図１１は、本発明の第２の実施の形態に係る携帯電話機の本体の電池室へ電池パックを装着する際の第１動作を示す説明図であり、
図１２は、図１１に示す第１動作の最終状態を示す説明図であり、
図１３は、同様に、電池室へ電池パックを装着する際の第２動作を示す説明図であり、
図１４は、同様に、電池室へ電池パックを装着する際の第３動作を示す説明図であり、
図１５は、同様に、電池室へ電池パックを装着する際の第４動作を示す説明図であり、
図１６は、同様に、電池室へ電池パックを装着する際の第５動作を示す説明図であり、
図１７は、従来の携帯電話機の本体及び電池パックを示す概略斜視図である。
なお、図中の符号、１は本体１、２は筐体、２Ａは表面、２Ｂは裏面、２１は電池室、２１Ａ及び２１Ｂは側壁面、２１Ｃは隔壁面（突当壁面）、２１Ｄは壁面、２１Ｅ及び２１Ｆはスライド面、２２はピン端子、２３はロック穴、３は電池パック、３１は裏面電極、３２は受け部、３３はロック爪、３４は側壁、３５は先端面、４は衝突回避機構、４１は昇降押上部、４１Ａは凹状曲面、４２は乗上げ部、４２Ａは垂下面、４２Ｂは凸状曲面、５は下側筐体、５Ａは表面、５Ｂは背面、５１は電池室、５１Ａ及び５１Ｂは側壁面、５１Ｃは隔壁面、５１Ｅ，５１Ｆは押上面、５２はピン端子、５３はロック穴、６は電池パック、６１は裏面電極、６２は受け部、６３はロック爪、６４は側壁、６５は先端面、７は衝突回避機構、７１は昇降部、７１Ａは凹状曲面、７２は乗上げ部、７２Ｂは凸状曲面、αは電池パックの装着方向、ｄはクリアランス（遊び）、δはクリーニング領域（クリーニングストローク）、Ｈはヒンジ部、Ｓはスペース、Ｘは幅方向、Ｙは前後方向である。
【発明を実施するための最良の形態】  以下、本発明の実施の形態について、添付図面を参照しながら詳細に説明する。
（第１の実施の形態）
図１は、本発明の第１の実施の形態に係る携帯電話機を示すものであり、この携帯電話機には、棒状タイプ（ストレート型）のものが用いられており、大略構成として、本体１と、これに着脱自在に装着する電池パック３とを備えているとともに、これら本体１と電池パック３とには、衝突回避機構４を備えている。
このうち、本体１側の筐体２は、略薄型箱状に形成されており、特にこの棒状タイプの携帯電話機にあっては、筐体２の横（Ｘ）方向（以下、これを「幅方向」とよぶ）に直交する縦（Ｙ）方向（以下、これを「前後方向」とよぶ）が幅方向に比べて数倍長い全体細長形状となっており、表面２Ａには図示外の液晶表示部（ＬＣＤ）や図示外の各種の操作キーなどを取付けている。一方、筐体２の背面２Ｂには、凹状に窪んだ電池室２１を形成しており、この電池室２１には後述する電池パック３を着脱自在に取付けるようになっている。
電池室２１は、筐体２の背面下部側、つまり、背面全体の略半分或いはそれ以上の領域に亙って形成されており、特にこの棒状タイプの携帯電話機にあっては、この電池室２１も、筐体２の縦長形状に合わせて、前後方向（これが長手方向となる）が幅方向（これが短手方向となる）よりも数倍程度長い縦長形状で、かつ、略矩形状に形成されている。この電池室２１には、左右両側に低い内壁面２１Ａ，２１Ｂ（以下、これを「側壁面」とよぶ）が長尺状に形成されているとともに、これと直交する上下両側に高い内壁面２１Ｃ（本発明の突当壁面を構成する。以下、これを「隔壁面」とよぶ）及び低い壁面２１Ｄがそれぞれ短尺状に形成されている。なお、この隔壁面２１Ｃには、左右両側にそれぞれ後述するロック穴２３が穿設されている。
また、この電池室２１には、各側壁面２１Ａ、２１Ｂにそれぞれ臨む左右の細長形状の枠面２１Ｅ，２１Ｆ（以下、これを「スライド面」とよぶ）が間隔Ｗを保持して平行状態で一対設けてあり、ここに後述する電池パック３の後述する受け部３２がスライド移動するようになっている。
さらに、この電池室２１には、電池パック３側との電気的接合を図るためのピン端子２２を筐体２の床面側に設置している。
このピン端子２２は、複数（通常、例えば３個）のものが直列状に配置される構成となっているが、この棒状タイプの携帯電話機にあっては、前述したように、筐体２の前後（Ｙ）方向が長手方向となっており、この長手方向については、電池室２１についても比較的スペースに余裕があるので、この余裕のある長手方向のスペースＳを利用して、ピン端子２２を前後（長手）方向と直交する幅方向（短手）方向に平行に設けている。
また、図１において、携帯電話機の図示外の主要な電子部品が、携帯電話機の本体１の筐体２内部において、専ら、電池室２１のある下部側を避けた上部側に設置されているため、このばね端子２２は、その筐体２の上部に近い電池室２１の上部寄りに設置することにより、電源からの給電の際に電圧降下の発生などを可及的に抑えることができるようになっている。
また、この電池室２１には、衝突回避機構４の一部を構成するそれぞれ略扇形状に突出した昇降部及び押上部（まとめて、昇降押上部４１とよぶ）を有している。この昇降押上部４１は、図２に示すように、側壁面２１Ａ，２１Ｂの面上において、隔壁面２１Ｃとの交差する角隅部分の近傍に設けられており、隔壁面２１Ｃに対向する方が凹状（滑らかな円弧状）に湾曲した昇降部を構成する曲面４１Ａ（以下、これを凹状曲面とよぶ）を形成している。この凹状曲面４１Ａは、電池パック３の装着時に、電池パック３の先端部を装着（α）方向に向けて円滑に降下させる（脱出時には上昇させる）ものであり、曲率（或いは曲率半径）は、ピン端子２２の設置位置、つまり隔壁面２１Ｃからの距離及び側壁面２１Ａ，２１Ｂの高さなどから適宜決定されている。
一方、この凹状曲面４１Ａとは反対面には、凸状扇形（滑らかな円弧状）に湾曲した押上部を構成する曲面４１Ｂ（以下、これを凸状曲面とよぶ）を形成している。この凸状曲面４１Ｂは、電池パック３の装着時に、電池パック３の後述する先端部をピン端子２２の高さに合わせて円滑に押し上げるものであり、特にその形状及び曲率などは一義的に決定されるものではないが、電池パック３の押上動作をスムースに行うことができればよい。
電池パック３は、本体部分が薄型箱状に形成されており、電池室２１のピン端子２２の設置位置に対応する部位、即ち、裏面の一端部（以下、これを先端部とよぶ）側に裏面電極３１をピン端子２２と同数同一配置で設けている。
また、この電池パック３には、衝突回避機構４の一部を構成する略扇形状に突出した乗上げ部４２を有している。この乗上げ部４２は、昇降押上部４１に対向する電池パック３裏面の先端部の左右両側に突設しており、昇降押上部４１の扇形状の凹状曲面４１Ａに滑動しながら昇降押上部４１にスムースに乗上げ、乗越えていくことにより、電池パック３の装着時に、この電池パック３がピン端子２２に衝突するのを確実に回避するようになっている。
この乗上げ部４２は、隔壁面２１Ｃに対向する先端面３５が電池パック３の本体部分から垂直下方に延びた平面４２Ａ（以下、これを「垂下面」とよぶ）を形成している。一方、この垂下面４２Ａとは逆側の面が、凹状扇形（滑らかな円弧状）に湾曲して曲面４２Ｂ（以下、これを凸状曲面とよぶ）を形成しており、電池パック６の装着時には、最終的に、後述するクリーニング領域δ（クリーニングストローク）（図２参照）を確保して昇降押上部４１の凹状曲面４１Ａとほぼ嵌合するように、凹状曲面４１Ａと略同等の曲率（曲率半径）を有している。
なお、ここで、クリーニング領域δ（クリーニングストローク）とは、電池パック３の裏面電極３１に付着する、或いは電池室２１のピン端子２２に付着するごみその他の絶縁物を、電池パック３の着脱の際に同時にクリーニングして除去するためのものであり、この領域だけ電池パック３の裏面電極３１が電池室２１のピン端子２２に接触・摺動するようになっている。
さらに、この電池パック３には、図１及び図３に示すように、左右両側面において、幅方向と直交する前後方向全体に亙り段状の受け部３２を互いに間隔Ｗを隔て設けており、この受け部３２が、電池室２１のスライド面２１Ｅ，２１Ｆ上をスライドしながら装着される時の一方のガイド手段を構成している。
なお、電池パック３を電池室２１へ装着後に、この電池パック３の浮上り防止及び脱出防止のため、携帯電話機の本体１の筐体２部分と電池パック３とにロック機構を備えている。
即ち、この携帯電話機には、この携帯電話機の本体１の筐体２の電池室２１に臨む隔壁面２１Ｃに、図２に示すように、ロック穴２３を設けるとともに、電池パック３にはそのロック穴２３に係合するロック爪３３を突設しており、これによってロック機構を構成している。そして、電池室２１への電池パック３の装着の際には、前述の衝突回避機構５による乗上げ動作に引き続き、電池パック３を電池室２１の床面に沿ってスライドさせながらロック機構によるロック動作を連続して行うようになっているが、この乗上げ動作後のロック動作は、電池パック３の裏面電極３１が電池室２１内のピン端子２２に接触・摺動しながら行う、換言すれば、クリーニング動作を行いながらロックされるようになっている。
従って、本実施の形態によれば、本体１側の筐体２と電池パック３とには、衝突回避機構４として、扇形状の昇降押上部４１及び扇形状の乗上げ部４２を備え、円弧状の曲面同士で係合させており、電池パック３に回転運動を行なわせながら着脱操作させているので、ピンポイントに近い精度で電池パック３を所望の装着位置のところへ降下させることができる。
また、このような精度の高い装着動作が実現可能となっているので、接続端子として、電池室２１に従来のばね端子ではなくピン端子２２を設けても、確実な導通動作を実現することもできる。しかも、このピン端子２２を設けることで、接続端子の小型化、短尺化を図ることも可能となっており、特に金（Ａｕ）などで形成する場合には、コストの削減を図ることができる。
なお、このように本実施の形態では、接続端子としてピン端子を設けているが、本発明の接続端子としては、従来用いられているばね端子（図１７において１０３で示す）であってもよい。
即ち、このばね端子は、中央部に位置する頂部が略く字型に折れ曲がって突出した形状を有しているとともに、電池室２１の床面に対して垂直方向に変移可能なばね性を有しており、電池パック３の裏面電極３１との間隙の変動を床面に対して前後（Ｙ）方向（携帯電話機の本体１の筐体２において長手方向）に変移させることで吸収させている。
つぎに、本実施形態に係る携帯電話機の作用について、図４乃至図８を参照しながら説明する。
例えば電池パック３を筐体２の電池室２１へ装着させる場合には、
（１）図４に示すように、電池パック３を携帯電話機の本体１の筐体２において、基端部（下部）方向（図４において、右端部側）から矢印方向に送り出す。
即ち、図４において、電池パック３の左右両側にある受け部３２で挟まれた側壁３４が左右両側にある側壁面２１Ａ，２１Ｂで挟み込まれた状態で、電池室２１へ電池パック３の先端部を差込み、そのまま、つまり電池パック３の先端部が低くなるような傾斜状態で、左方へスライドさせていく。
これにより、電池パック３は、先端部が衝突回避機構４に達するまでの間、側壁３４が側壁面２１Ａ，２１Ｂに挟持された状態でガイドされるとともに、受け部３２がスライド面２１Ｅ，２１Ｆに支承された状態でガイドされながら、隔壁面２１Ｃに向けて前進移動する（第１動作）。
（２）そして、電池パック３の先端部が衝突回避機構４に達すると、図４に示すように、乗上げ部４２の垂下面４２Ａが昇降押上部４１の凸状曲面４１Ｂに係止したのち、この凸状曲面４１Ｂの曲面に沿ってスムースに上昇し、昇降押上部４１の最上部（ピン端子２２設置位置に対応）を通過した後、図５に示すように、乗上げ部４２の凸状曲面４２Ｂが凹状曲面４１Ａの曲面に沿ってスムースに降下していく。これにより、電池パック３の先端部がピン端子２２に衝突することなく安全に乗り越えることができる（第２動作）。
（３）次に、図６に示すように、電池パック３は、乗上げ部４２の凸状曲面４２Ｂが凹状曲面４１Ａの曲面に沿ってスムースに降下しながら、換言すれば、回転軌道を描きながら、この電池パック３の先端部に設けたロック爪３３が、ロック穴２３に入り込み始めていく（第３動作）。
（４）そして、図７に示すように、電池パック３は、乗上げ部４２の凸状曲面４２Ｂが凹状曲面４１Ａの曲面に沿って回転軌道を描きながら降下していくとともに、ロック爪３３がロック穴２３の奥部へ入り込んでいく（第４動作）。
（５）このようにして、電池パック３は、乗上げ部４２の凸状曲面４２Ｂが凹状曲面４１Ａを最後（最下位置）まで完全に滑り降りると、次に、図８に示すように、電池パック３の受け部３２が、スライド面２１Ｅ，２１Ｆに沿って一定距離だけスライドしながら前進し、クリーニング動作を行う。そして、この電池パック３は、クリーニング領域δ（クリーニングストローク）だけ前進移動したところで、先端面３５が隔壁面２１Ｃに係止して装着動作が終了する（第５動作）。
これにより、電池パック３の裏面電極３１が電池室２１内のピン端子２２に接触し、ピン端子２２が下方へ押下された状態で電気的に導通することとなる。また、クリーニング動作の間、電池パック３の裏面電極３１及び電池室２１内のピン端子２２が互いに接触した状態のまま摺動されるので、これら双方に付着した埃やかすなどの絶縁不良の原因となる付着物が清掃・除去され、双方の電気的接触が確実となる。
なお、電池パック３を電池室２１から取り外すときの脱出動作については、以上のような電池パック３の装着操作の場合とは全く逆の動作を行うことにより、がたつきを起こすことなく、滑らかに電池パック３を取り出すことができるとともに、電池パック３がピン端子２２に衝突したり摺動するのを、防止することができる。
（第２の実施の形態）
図９は、本発明の第２に実施形態に係る携帯電話機を示すものであり、この携帯電話機は、折畳みタイプ（開閉型）のものが用いられており、大略構成として、本体１と、これに着脱自在に装着する電池パック６とを備えているとともに、これら本体１と電池パック６とには、衝突回避機構７を備えている。
本体１は、筐体部分が、ヒンジ部Ｈで互いに連結された図示外の上側筐体及び下側筐体５で構成されている。
下側筐体５は、略薄型箱状に形成されており、特にこの折畳みタイプの携帯電話機にあっては、下側筐体５の幅（Ｘ）方向の大きさが、これに直交する前後（Ｙ）方向の大きさに対して比較的広い、幅広形状となっており、表面５Ａには図示外の各種の操作キーなどを取付けている。一方、下側筐体５の背面５Ｂには、凹状に窪んだ電池室５１を形成しており、この電池室５１には後述する電池パック６を着脱自在に取付けている。
電池室５１は、下側筐体５の背面下部側、つまり、背面全体の略半分或いはそれ以上の領域に亙って形成されており、特にこの折畳みタイプの携帯電話機にあっては、この電池室５１も、下側筐体５の幅広形状に合わせて、前後（Ｙ）方向（長手方向）に比べて横（Ｘ）方向（幅方向、短手方向）が比較的広めの幅広形状で、かつ、略方形状に形成されている。この電池室５１には、第１の実施形態の電池室２１と同様に、左右両側に低い内壁面５１Ａ，５１Ｂ（以下、これを「側壁面」とよぶ）が長尺状に形成されているとともに、これと直交する上下両側に高い壁面５１Ｃ（以下、これを「隔壁面」とよぶ）及び低い内壁面５１Ｄがそれぞれ短尺状に形成されている。なお、この隔壁面５１Ｃには、左右両側にそれぞれ後述するロック穴５３が穿設されている。
また、この電池室５１には、各側壁面５１Ａ、５１Ｂにそれぞれ臨む左右の細長形状の枠面５１Ｅ，５１Ｆが間隔Ｗを保持して平行状態で一対設けてあり、ここに後述する電池パック６の後述する受け部６２がスライド移動するようになっている。
さらに、この電池室５１には、電池パック６側との電気的接合を図るためのピン端子５２を筐体５の床面側に設置している。
このピン端子５２は、複数（通常、例えば３個）のものが列状に配置される構成となっているが、棒状タイプの携帯電話機とは異なり、この折畳みタイプ（開閉型）にあっては、前述したように、下側筐体５の幅（Ｘ）方向が幅広形状となっており、この幅方向については、電池室５１についても比較的スペースに余裕があるので、この余裕のある幅方向のスペースＳを利用して、ピン端子５２を幅方向と直交する前後（Ｙ）方向に平行に設けている。
また、本実施の形態でも、携帯電話機の図示外の主要な電子部品が、携帯電話機の本体１の下側筐体５内部において、専ら、電池室５１のある下部を避けた上部に設置されているため、このピン端子５２は、その下側筐体５の上部に近い電池室５１の上部寄りに設置することにより、第１の実施の形態と同様に、電源からの給電の際に電圧降下の発生などを可及的に抑えるようになっている。
また、この電池室５１には、衝突回避機構７の一部を構成する略扇形状に窪んだ昇降部７１を有している。この昇降部７１は、図９に示すように、側壁面５１Ａ，５１Ｂにおいて、隔壁面５１Ｃと交差する角隅部分の近傍に設けられており、隔壁面５１Ｃに対向して凹状扇状（滑らかな円弧状）に湾曲した曲面７１Ａ（以下、これを凹状曲面とよぶ）を形成している。この凹状曲面７１Ａは、電池パック６の装着時に、この電池パック６の先端部を装着（α）方向に向けて円滑に降下させるものであり、曲率（或いは曲率半径）は、ピン端子５２の設置位置、つまり隔壁面５１Ｃからの距離及び側壁面５１Ａ，５１Ｂの高さなどから適宜決定されている。
一方、この凹状曲面５１Ａへと続く下側筐体５の左右両側面には、図９及び図１０に示すように、各側壁面５１Ａ、５１Ｂにそれぞれ臨む左右の細長形状の枠面５１Ｅ，５１Ｆ（これが押上部を構成する。以下、「押上面」とよぶ）が間隔Ｗを保持した平行状態で一対設けてあり、これに後述する電池パック６の受け部６２がスライド移動しながらピン端子５２を乗り越えていき、ピン端子２２との衝突を回避するようになっている。
電池パック６は、本体部分が略薄板状に形成されており、電池室５１のピン端子５２の設置位置に対応する部位、即ち、裏面部分の側面寄りの端部側に、裏面電極６１をピン端子５２と同数直列状に設置している。
また、この電池パック６には、衝突回避機構７の一部を構成する略扇形状に突出した乗上げ部７２を有している。この乗上げ部７２は、昇降部７１に対向する電池パック６裏面の先端部の左右両側に突設してあり、昇降部７１の扇形状の凹状曲面７１Ａに滑動しながら昇降部７１をスムースに降下していくことにより、電池パック３の装着時にピン端子２２と衝突するのを回避するようになっている。
そして、この乗上げ部７２には、本体部分の先端面６５（図１０参照）から垂直下方に延び、隔壁面５１Ｃに対向する平面７２Ａ（以下、これを「垂下面」とよぶ）を有している。また、この乗上げ部７２には、この垂下面７２Ａとは逆側に、凸状扇形（滑らかな円弧状）に湾曲した凸状曲面７２Ｂを有している。この凸状曲面７２Ｂは、電池パック６を最後まで装着する時に、後述するクリーニング領域δ（クリーニングストローク）（図１６参照）を確保して押上部５１の凹状曲面５１Ａとほぼ嵌合するように、凹状曲面５１Ａと略同等の曲率（曲率半径）を有している。
なお、ここで、クリーニング領域δ（クリーニングストローク）とは、電池パック３の裏面電極３１に付着する、或いは電池室２１のピン端子２２に付着するごみその他の絶縁物を、電池パック３の着脱の際に同時にクリーニングして除去するためのものであり、この領域だけ電池パック３の裏面電極３１が電池室２１のピン端子２２に接触・摺動するようになっている。
さらに、この電池パック６には、図９及び図１０に示すように、左右両側面において、幅（Ｘ）方向と直交する前後（Ｙ）方向全体に亙り、段状の受け部６２が、間隔Ｗを隔て互いに設けてあり、電池室５１のスライド面５１Ｅ，５１Ｆ上をスライドしながら装着させる時のガイド手段を構成している。
なお、電池室５１へ電池パック６を装着後に、この電池パック６の浮上り防止及び脱出防止のため、携帯電話機の本体１の下側筐体５と電池パック６とにロック機構を備えている。
即ち、第１の実施の形態と同様に、携帯電話機の本体１の下側筐体５の電池室５１に臨む隔壁面５１Ｃには、図９に示すように、ロック穴５３を設けるとともに、電池パック６にはそのロック穴５３に係合するロック爪６３を突設しており、これらがロック機構を構成している。そして、電池室５１へ電池パック６を装着する際には、第１の実施の形態と同様に、前述の衝突回避機構７による乗上げ動作に引き続き、電池パック３を電池室２１の床面に沿ってスライドさせながらロック動作を連続して行うようになっているが、この乗上げ動作後のロック動作は、電池パック６の裏面電極６１が電池室５１内のピン端子５２に接触・摺動しながら行う、換言すれば、クリーニング動作を行いながらロックされるようになっている。
また、本実施の形態でも、接続端子として、電池室５１にピン端子５２を突設したが、従来用いられているばね端子（図１７において１０３で示す）であってもよい。
つぎに、本実施形態に係る携帯電話機の作用について、図１１乃至図１６を参照しながら説明する。
（１）例えば電池パック６を下側筐体５の電池室５１へ装着させる場合には、図１１に示すように、電池パック６を携帯電話機の本体１の下側筐体５において、基端部方向（図９において、右側下端部）から矢印（α）方向に送り出す。
これにより、図１１において、電池パック６の乗上げ部７２近傍の左右両側にある側壁６４が電池室５１の左右両側にある側壁面５１Ａ，５１Ｂで挟み込まれた状態で、電池室５１へ電池パック６の先端部を差込み、そのまま、つまり電池パック６を先端部が低くなるような傾斜状態で、左方へスライドさせていく。
即ち、電池パック６は、先端部が衝突回避機構７に到達するまでの間、側壁６４が側壁面５１Ａ，５１Ｂに挟持された状態で左右方向をガイドされるとともに、凸状曲面７２Ｂがスライド面５１Ｅ，５１Ｆに支承した状態で上下方向をガイドされながら、隔壁面５１Ｃに向けて前進移動する（第１動作）。
このようにして、図１２に示すように、この電池パック６がスライド面５１Ｅ，５１Ｆに沿ってスライド移動して昇降部７１の扇形状の凹状曲面７１Ａまで移動することにより、電池パック６下部の先端面６５が電池室５１のピン端子５２に係止することなく（図１１において、ピン端子５２の保護のためにクリアランスｄの遊びを設けているので）、スムースに通り抜けることができる。
（２）次に、図１３に示すように、電池パック６は、回転運動を開始し、乗上げ部７２の凸状曲面７２Ｂが凹状曲面７１Ａの曲面に沿って降下し始める（第２動作）。
（３）そして、図１４に示すように、電池パック６は、乗上げ部７２の凸状曲面７２Ｂが凹状曲面７１Ａの曲面に沿ってスムースに降下しながら、換言すれば、回転軌道を描きながら、この電池パック６の先端部に設けたロック爪６３が、ロック穴５３に入り込み始める（第３動作）。
（４）その後、図１５に示すように、電池パック６は、乗上げ部４２の凸状曲面４２Ｂが凹状曲面４１Ａの曲面に沿って回転軌道を描きながら降下していくとともに、ロック爪６３がロック穴６３の奥部へ入り込んでいく（第４動作）。
（５）このようにして、電池パック６は、乗上げ部７２の凸状曲面７２Ｂが電池室５１の凹状曲面７１Ａの最後（最下位置）まで完全に滑り降りる。そして、次に、図１６に示すように、電池パック６の受け部６２が、押上面５１Ｅ，５１Ｆに沿って一定距離だけスライドしながら前進し、クリーニング動作を行う。そして、この電池パック６は、クリーニング領域δ（クリーニングストローク）だけ前進移動したところで、先端面６５が隔壁面５１Ｃに係止して着脱動作が終了する（第５動作）。
これにより、電池パック６の裏面電極６１が電池室５１内のピン端子５２に接触し、電気的に導通することとなる。また、クリーニング動作の間、電池パック６の裏面電極６１及び電池室５１内のピン端子５２が互いに接触・摺動されるので、これらに付着した埃やかすなどの絶縁不良の原因となる付着物が清掃・除去され、双方の電気的接触が確実となる。
なお、電池パック６を電池室５１から取り外すときの脱出動作については、以上のような電池パック６の装着操作の場合とは全く逆の動作を行うことにより、がたつきを起こすことなく、滑らかに電池パック６を取り出すことができるとともに、電池パック６がピン端子５２に衝突したり摺動するのを、防止することができる。
本発明を詳細にまた特定の実施態様を参照して説明したが、本発明の精神と範囲を逸脱することなく様々な変更や修正を加えることができることは当業者にとって明らかである。
【産業上の利用可能性】  本発明によれば、筐体の操作部及び表示部を有する表面側とは反対の背面側の下部に略矩形凹状に窪んだ電池室を設けた携帯電子機器の本体と、本体の筐体背面に設けた電池室に着脱自在に収納する電池パックとを備えた携帯電子機器であって、電池室を形成するために電池パックの装着方向に沿った両側に設けた内壁面上で、かつ、電池室を形成するために内壁面に直交して設けた突当壁面と交わる角隅部分の近傍で、電池室に設けた接続端子に対応して接続端子よりも高く設けた、略扇形状の昇降部及び適宜形状の押上部と、昇降部及び押上部に対面する電池パック裏面の電池パックの幅方向の両側に、昇降部及び押上部の扇形状の面に滑動しながら昇降して電池室に設けた接続端子を乗り越えるために扇形状に突出する乗上げ部とを設けた衝突回避機構を備えたものであり、電池パックの着脱が円滑に行えるとともに、電池パックと携帯電子機器本体との電気的接続を確実に行うことができる。
また、本発明では、携帯電子機器の本体側の筐体部の昇降部と、携帯電子機器に電池パックを装着したときの電池パックの乗上げ部との間に、接続端子又は電極の外面を清掃するクリーニング動作のための領域を確保しており、電池パックの着脱のたびに、この着脱動作に連動して接続端子及び電極の清掃が行えるので、長期間に亙り使用したり、埃などの多い環境下でも、電気的な接触不良の発生を防止できる。
【図１】
2004034488.tif 000003
【図２】
2004034488.tif 000004
【図３】
2004034488.tif 000005
【図４】
2004034488.tif 000006
【図５】
2004034488.tif 000007
【図６】
2004034488.tif 000008
【図７】
2004034488.tif 000009
【図８】
2004034488.tif 000010
【図９】
2004034488.tif 000011
【図１０】
2004034488.tif 000012
【図１１】
2004034488.tif 000013
【図１２】
2004034488.tif 000014
【図１３】
2004034488.tif 000015
【図１４】
2004034488.tif 000016
【図１５】
2004034488.tif 000017
【図１６】
2004034488.tif 000018
【図１７】
2004034488.tif 000019
【手続補正書】
【提出日】平成17年4月11日(2005.4.11)
【手続補正１】
【補正対象書類名】明細書
【補正対象項目名】全文
【補正方法】変更
【補正の内容】
【発明の詳細な説明】
【技術分野】
【０００１】
本発明は、着脱可能な電池パックを備えた携帯電子機器に係り、特に、電池パックのスムースな装着を実現できる携帯電子機器に関するものである。
【背景技術】
【０００２】
携帯電話機には、一般に、着脱可能な電池パックが電源用として用いられている。この電池パックは、通常、薄い板状などに形成されており、携帯電話機の本体の筐体背面下部などに設けた電池室に装着させるようになっている。
【０００３】
従来の携帯電話機、例えば棒状（ストレート型）携帯電話機及びこれに装着する電池パックについて、図１７を参照しながら具体的に説明する。
【０００４】
同図に示すように、携帯電話機の本体１００側の筐体１０１は、略箱状などに形成されており、筐体１０１の背面には電池室１０２を形成しているとともに、この電池室１０２の床面側には、後述する電池パック２００との電気的接合を図るためのばね端子１０３を筐体１０１の幅（Ｘ）方向に沿って複数個設けている。
【０００５】
一方、電池パック２００は、本体部分２０１が薄型箱状又は薄型板状などに形成されており、電池室１０２のばね端子１０３の設置位置に対応する部位、即ち、裏面部分の上端部側に裏面電極２０２を設けている。
【０００６】
また、この電池パック２００には、電池パック２００を電池室１０２へ装着させる場合に、電池室内１０２のばね端子１０３に電池パック２００の裏面側が強く接触するのを防止するため、電池室１０２内には押上げ突起１０４を左右一対設けているとともに、電池パック２００にはその押上げ突起１０４に係合する乗上げ突起２０３を裏面の一端部（先端部）両側に設けている。
【０００７】
このため、電池パック２００を電池室１０２へ装着させる際には、電池パック２００側の乗上げ突起２０３が電池室１０２側の押上げ突起１０４を乗り越えることにより、電池パック２００の裏面が電池室１０２側のばね端子１０３へ接触するのを防止するようになっている。
【０００８】
しかしながら、通常、この電池室１０２側の押上げ突起１０４及び電池パック２００側の乗上げ突起２０３は、略四角柱状に形成されており、電池パック２００は、乗上げ突起２０３を設けた先端部が押上げ突起１０４のところで略真上（Ｚ）方向に押し上げられた後、ばね端子１０３を通過直後に真下へ急激に落下する、といった乗上げ動作を行うようになっている。
【０００９】
このように、前述した構成の携帯電話機によれば、電池パック２００は、電池室１０２の床面に対して略９０度の垂直に近い角度で急降下する直線運動を行っているので、電池パック２００の装着動作にはどうしてもがたつきを生じやすい。
【００１０】
しかも、このような携帯電話機にあっては、電池室内１０２のばね端子１０３に電池パック２００の裏面側が強く衝突しないまでも、電池パック２００の裏面がばね端子１０３に摺動しながら装着されていくため、金属製のばね端子１０３の頂部が合成樹脂製の電池室１０２の裏面を少しずつ削り取っており、電池パック２００の裏面電極２０２との間に接触・導通不良をもたらす虞もある。
【発明の開示】
【発明が解決しようとする課題】
【００１１】
本発明は、上記した事情に鑑み、電池パックの着脱が円滑に行えるとともに、電池パックと携帯電子機器本体との電気的接続を確実に行うことができる携帯電子機器を提供することを目的とするものである。
【課題を解決するための手段】
【００１２】
本発明は、第１に、筐体の操作部及び表示部を有する表面側とは反対の背面側の下部に略矩形凹状に窪んだ電池室を設けた携帯電子機器の本体と、前記本体の前記筐体背面に設けた前記電池室に着脱自在に収納する電池パックとを備えた携帯電子機器であって、
前記電池室を形成するために前記電池パックの装着方向に沿った両側に設けた内壁面上で、かつ、前記電池室を形成するために前記内壁面に直交して設けた突当壁面と交わる角隅部分の近傍で、前記電池室に設けた接続端子に対応して前記接続端子よりも高く設けた、略扇形状の昇降部及び適宜形状の押上部と、
前記昇降部及び押上部に対面する前記電池パック裏面の前記電池パックの幅方向の両側に、前記昇降部及び前記押上部の前記扇形状の面に滑動しながら昇降して前記電池室に設けた接続端子を乗り越えるために扇形状に突出する乗上げ部と
を設けた衝突回避機構を備えたことを特徴としている。
【００１３】
これにより、電池パックの着脱が円滑に行えるとともに、電池パックと携帯電子機器本体との電気的接続を確実に行うことができる。
【００１４】
また、本発明は、第２に、前記携帯電子機器の本体側の筐体部の前記昇降部と、前記携帯電子機器に前記電池パックを装着したときの前記電池パックの前記乗上げ部との間に、前記接続端子又は電子パックに備えた裏面電極の外面を清掃するクリーニング動作のための領域を確保したことを特徴としている。
【００１５】
これにより、電池パックの着脱のたびに、この着脱動作に連動して接続端子及び電極の清掃が行えるので、長期間に亙り使用したり、埃などの多い環境下でも、電気的な接触不良の発生を防止できる。
【００１６】
また、本発明は、第３に、携帯電子機器は、本体側の筐体が棒状を有する携帯電話機器であるとともに、
前記衝突回避機構は、
前記携帯電話機器の本体側の筐体に設けた前記昇降部を、前記電池パックの装着方向に向けて配向した略凹状円弧面で構成するとともに、
前記電池パックの前記乗上げ部を、前記電池パックの脱出方向に向けて配向した略凸状円弧面で構成し、かつ、
前記電池室内には、複数の前記接続端子を前記本体側の筐体の短手方向に沿って配設しているとともに、前記電池パックの裏面には前記電池室の前記接続端子に導通する複数の裏面電極を前記接続端子と対応する配置状態で設けたことを特徴している。
【００１７】
これにより、棒状タイプの携帯電話機器において、衝突回避機構を簡単な構造のもので構成することができ、延いては製造コストの削減も図ることができる。
【００１８】
また、本発明は、第４に、携帯電子機器は、本体側の筐体部がヒンジ部で互いに連結された上側筐体及び下側筐体を有する折畳式の携帯電話機器であるとともに、
前記衝突回避機構は、
前記携帯電子機器の本体側の前記下側筐体に設けた前記昇降部を、前記電池パックの装着方向に向けて配向した略凹状円弧面で構成するとともに、
前記電池パックの前記乗上げ部を前記電池パックの脱出方向に向けて配向した略凹状円弧面で構成し、
前記電池室内には、複数の前記接続端子を前記下側筐体の長手方向に沿って配設しているとともに、前記電池パックの裏面には前記電池室の前記接続端子に導通する複数の裏面電極を前記接続端子と対応する配置状態で設けたことを特徴としている。
【００１９】
これにより、折畳タイプの携帯電話機器において、衝突回避機構を簡単な構造のもので構成することができ、延いては製造コストの削減も図ることができる。
【００２０】
また、本発明は、第５に、前記電池室内の複数の接続端子は、電池室の床面から垂直上方に突出しするとともに、前記垂直上方に変移自在に弾性力が付勢されたピン端子で構成したことを特徴としている。
【００２１】
これにより、電池パックは円軌道を描きながら装着されるので、精度の高い装着が可能となり、ピン端子と接触・導通するの電極の小型化を図ることができる。
【発明の効果】
【００２２】
本発明によれば、電池パックの着脱が円滑に行えるとともに、電池パックと携帯電子機器本体との電気的接続を確実に行うことができる携帯電子機器を提供できる。
【発明を実施するための最良の形態】
【００２３】
以下、本発明の実施の形態について、添付図面を参照しながら詳細に説明する。
【００２４】
（第１の実施の形態）
図１は、本発明の第１の実施の形態に係る携帯電話機を示すものであり、この携帯電話機には、棒状タイプ（ストレート型）のものが用いられており、大略構成として、本体１と、これに着脱自在に装着する電池パック３とを備えているとともに、これら本体１と電池パック３とには、衝突回避機構４を備えている。
【００２５】
このうち、本体１側の筐体２は、略薄型箱状に形成されており、特にこの棒状タイプの携帯電話機にあっては、筐体２の横（Ｘ）方向（以下、これを「幅方向」とよぶ）に直交する縦（Ｙ）方向（以下、これを「前後方向」とよぶ）が幅方向に比べて数倍長い全体細長形状となっており、表面２Ａには図示外の液晶表示部（ＬＣＤ）や図示外の各種の操作キーなどを取付けている。一方、筐体２の背面２Ｂには、凹状に窪んだ電池室２１を形成しており、この電池室２１には後述する電池パック３を着脱自在に取付けるようになっている。
【００２６】
電池室２１は、筐体２の背面下部側、つまり、背面全体の略半分或いはそれ以上の領域に亙って形成されており、特にこの棒状タイプの携帯電話機にあっては、この電池室２１も、筐体２の縦長形状に合わせて、前後方向（これが長手方向となる）が幅方向（これが短手方向となる）よりも数倍程度長い縦長形状で、かつ、略矩形状に形成されている。この電池室２１には、左右両側に低い内壁面２１Ａ，２１Ｂ（以下、これを「側壁面」とよぶ）が長尺状に形成されているとともに、これと直交する上下両側に高い内壁面２１Ｃ（本発明の突当壁面を構成する。以下、これを「隔壁面」とよぶ）及び低い壁面２１Ｄがそれぞれ短尺状に形成されている。なお、この隔壁面２１Ｃには、左右両側にそれぞれ後述するロック穴２３が穿設されている。
【００２７】
また、この電池室２１には、各側壁面２１Ａ、２１Ｂにそれぞれ臨む左右の細長形状の枠面２１Ｅ，２１Ｆ（以下、これを「スライド面」とよぶ）が間隔Ｗを保持して平行状態で一対設けてあり、ここに後述する電池パック３の後述する受け部３２がスライド移動するようになっている。
【００２８】
さらに、この電池室２１には、電池パック３側との電気的接合を図るためのピン端子２２を筐体２の床面側に設置している。
【００２９】
このピン端子２２は、複数（通常、例えば３個）のものが直列状に配置される構成となっているが、この棒状タイプの携帯電話機にあっては、前述したように、筐体２の前後（Ｙ）方向が長手方向となっており、この長手方向については、電池室２１についても比較的スペースに余裕があるので、この余裕のある長手方向のスペースＳを利用して、ピン端子２２を前後（長手）方向と直交する幅方向（短手）方向に平行に設けている。
【００３０】
また、図１において、携帯電話機の図示外の主要な電子部品が、携帯電話機の本体１の筐体２内部において、専ら、電池室２１のある下部側を避けた上部側に設置されているため、このばね端子２２は、その筐体２の上部に近い電池室２１の上部寄りに設置することにより、電源からの給電の際に電圧降下の発生などを可及的に抑えることができるようになっている。
【００３１】
また、この電池室２１には、衝突回避機構４の一部を構成するそれぞれ略扇形状に突出した昇降部及び押上部（まとめて、昇降押上部４１とよぶ）を有している。この昇降押上部４１は、図２に示すように、側壁面２１Ａ，２１Ｂの面上において、隔壁面２１Ｃとの交差する角隅部分の近傍に設けられており、隔壁面２１Ｃに対向する方が凹状（滑らかな円弧状）に湾曲した昇降部を構成する曲面４１Ａ（以下、これを凹状曲面とよぶ）を形成している。この凹状曲面４１Ａは、電池パック３の装着時に、電池パック３の先端部を装着（α）方向に向けて円滑に降下させる（脱出時には上昇させる）ものであり、曲率（或いは曲率半径）は、ピン端子２２の設置位置、つまり隔壁面２１Ｃからの距離及び側壁面２１Ａ，２１Ｂの高さなどから適宜決定されている。
【００３２】
一方、この凹状曲面４１Ａとは反対面には、凸状扇形（滑らかな円弧状）に湾曲した押上部を構成する曲面４１Ｂ（以下、これを凸状曲面とよぶ）を形成している。この凸状曲面４１Ｂは、電池パック３の装着時に、電池パック３の後述する先端部をピン端子２２の高さに合わせて円滑に押し上げるものであり、特にその形状及び曲率などは一義的に決定されるものではないが、電池パック３の押上動作をスムースに行うことができればよい。
【００３３】
電池パック３は、本体部分が薄型箱状に形成されており、電池室２１のピン端子２２の設置位置に対応する部位、即ち、裏面の一端部（以下、これを先端部とよぶ）側に裏面電極３１をピン端子２２と同数同一配置で設けている。
【００３４】
また、この電池パック３には、衝突回避機構４の一部を構成する略扇形状に突出した乗上げ部４２を有している。この乗上げ部４２は、昇降押上部４１に対向する電池パック３裏面の先端部の左右両側に突設しており、昇降押上部４１の扇形状の凹状曲面４１Ａに滑動しながら昇降押上部４１にスムースに乗上げ、乗越えていくことにより、電池パック３の装着時に、この電池パック３がピン端子２２に衝突するのを確実に回避するようになっている。
【００３５】
この乗上げ部４２は、隔壁面２１Ｃに対向する先端面３５が電池パック３の本体部分から垂直下方に延びた平面４２Ａ（以下、これを「垂下面」とよぶ）を形成している。一方、この垂下面４２Ａとは逆側の面が、凹状扇形（滑らかな円弧状）に湾曲して曲面４２Ｂ（以下、これを凸状曲面とよぶ）を形成しており、電池パック６の装着時には、最終的に、後述するクリーニング領域δ（クリーニングストローク）（図２参照）を確保して昇降押上部４１の凹状曲面４１Ａとほぼ嵌合するように、凹状曲面４１Ａと略同等の曲率（曲率半径）を有している。
【００３６】
なお、ここで、クリーニング領域δ（クリーニングストローク）とは、電池パック３の裏面電極３１に付着する、或いは電池室２１のピン端子２２に付着するごみその他の絶縁物を、電池パック３の着脱の際に同時にクリーニングして除去するためのものであり、この領域だけ電池パック３の裏面電極３１が電池室２１のピン端子２２に接触・摺動するようになっている。
【００３７】
さらに、この電池パック３には、図１及び図３に示すように、左右両側面において、幅方向と直交する前後方向全体に亙り段状の受け部３２を互いに間隔Ｗを隔て設けており、この受け部３２が、電池室２１のスライド面２１Ｅ，２１Ｆ上をスライドしながら装着される時の一方のガイド手段を構成している。
【００３８】
なお、電池パック３を電池室２１へ装着後に、この電池パック３の浮上り防止及び脱出防止のため、携帯電話機の本体１の筐体２部分と電池パック３とにロック機構を備えている。
【００３９】
即ち、この携帯電話機には、この携帯電話機の本体１の筐体２の電池室２１に臨む隔壁面２１Ｃに、図２に示すように、ロック穴２３を設けるとともに、電池パック３にはそのロック穴２３に係合するロック爪３３を突設しており、これによってロック機構を構成している。そして、電池室２１への電池パック３の装着の際には、前述の衝突回避機構５による乗上げ動作に引き続き、電池パック３を電池室２１の床面に沿ってスライドさせながらロック機構によるロック動作を連続して行うようになっているが、この乗上げ動作後のロック動作は、電池パック３の裏面電極３１が電池室２１内のピン端子２２に接触・摺動しながら行う、換言すれば、クリーニング動作を行いながらロックされるようになっている。
【００４０】
従って、本実施の形態によれば、本体１側の筐体２と電池パック３とには、衝突回避機構４として、扇形状の昇降押上部４１及び扇形状の乗上げ部４２を備え、円弧状の曲面同士で係合させており、電池パック３に回転運動を行なわせながら着脱操作させているので、ピンポイントに近い精度で電池パック３を所望の装着位置のところへ降下させることができる。
【００４１】
また、このような精度の高い装着動作が実現可能となっているので、接続端子として、電池室２１に従来のばね端子ではなくピン端子２２を設けても、確実な導通動作を実現することもできる。しかも、このピン端子２２を設けることで、接続端子の小型化、短尺化を図ることも可能となっており、特に金（Ａｕ）などで形成する場合には、コストの削減を図ることができる。
【００４２】
なお、このように本実施の形態では、接続端子としてピン端子を設けているが、本発明の接続端子としては、従来用いられているばね端子（図１７において１０３で示す）であってもよい。
【００４３】
即ち、このばね端子は、中央部に位置する頂部が略く字型に折れ曲がって突出した形状を有しているとともに、電池室２１の床面に対して垂直方向に変移可能なばね性を有しており、電池パック３の裏面電極３１との間隙の変動を床面に対して前後（Ｙ）方向（携帯電話機の本体１の筐体２において長手方向）に変移させることで吸収させている。
【００４４】
つぎに、本実施形態に係る携帯電話機の作用について、図４乃至図８を参照しながら説明する。
【００４５】
例えば電池パック３を筐体２の電池室２１へ装着させる場合には、
（１）図４に示すように、電池パック３を携帯電話機の本体１の筐体２において、基端部（下部）方向（図４において、右端部側）から矢印方向に送り出す。
【００４６】
即ち、図４において、電池パック３の左右両側にある受け部３２で挟まれた側壁３４が左右両側にある側壁面２１Ａ，２１Ｂで挟み込まれた状態で、電池室２１へ電池パック３の先端部を差込み、そのまま、つまり電池パック３の先端部が低くなるような傾斜状態で、左方へスライドさせていく。
【００４７】
これにより、電池パック３は、先端部が衝突回避機構４に達するまでの間、側壁３４が側壁面２１Ａ，２１Ｂに挟持された状態でガイドされるとともに、受け部３２がスライド面２１Ｅ，２１Ｆに支承された状態でガイドされながら、隔壁面２１Ｃに向けて前進移動する（第１動作）。
【００４８】
（２）そして、電池パック３の先端部が衝突回避機構４に達すると、図４に示すように、乗上げ部４２の垂下面４２Ａが昇降押上部４１の凸状曲面４１Ｂに係止したのち、この凸状曲面４１Ｂの曲面に沿ってスムースに上昇し、昇降押上部４１の最上部（ピン端子２２設置位置に対応）を通過した後、図５に示すように、乗上げ部４２の凸状曲面４２Ｂが凹状曲面４１Ａの曲面に沿ってスムースに降下していく。これにより、電池パック３の先端部がピン端子２２に衝突することなく安全に乗り越えることができる（第２動作）。
【００４９】
（３）次に、図６に示すように、電池パック３は、乗上げ部４２の凸状曲面４２Ｂが凹状曲面４１Ａの曲面に沿ってスムースに降下しながら、換言すれば、回転軌道を描きながら、この電池パック３の先端部に設けたロック爪３３が、ロック穴２３に入り込み始めていく（第３動作）。
【００５０】
（４）そして、図７に示すように、電池パック３は、乗上げ部４２の凸状曲面４２Ｂが凹状曲面４１Ａの曲面に沿って回転軌道を描きながら降下していくとともに、ロック爪３３がロック穴２３の奥部へ入り込んでいく（第４動作）。
【００５１】
（５）このようにして、電池パック３は、乗上げ部４２の凸状曲面４２Ｂが凹状曲面４１Ａを最後（最下位置）まで完全に滑り降りると、次に、図８に示すように、電池パック３の受け部３２が、スライド面２１Ｅ，２１Ｆに沿って一定距離だけスライドしながら前進し、クリーニング動作を行う。そして、この電池パック３は、クリーニング領域δ（クリーニングストローク）だけ前進移動したところで、先端面３５が隔壁面２１Ｃに係止して装着動作が終了する（第５動作）。
【００５２】
これにより、電池パック３の裏面電極３１が電池室２１内のピン端子２２に接触し、ピン端子２２が下方へ押下された状態で電気的に導通することとなる。また、クリーニング動作の間、電池パック３の裏面電極３１及び電池室２１内のピン端子２２が互いに接触した状態のまま摺動されるので、これら双方に付着した埃やかすなどの絶縁不良の原因となる付着物が清掃・除去され、双方の電気的接触が確実となる。
【００５３】
なお、電池パック３を電池室２１から取り外すときの脱出動作については、以上のような電池パック３の装着操作の場合とは全く逆の動作を行うことにより、がたつきを起こすことなく、滑らかに電池パック３を取り出すことができるとともに、電池パック３がピン端子２２に衝突したり摺動するのを、防止することができる。
【００５４】
（第２の実施の形態）
図９は、本発明の第２に実施形態に係る携帯電話機を示すものであり、この携帯電話機は、折畳みタイプ（開閉型）のものが用いられており、大略構成として、本体１と、これに着脱自在に装着する電池パック６とを備えているとともに、これら本体１と電池パック６とには、衝突回避機構７を備えている。
【００５５】
本体１は、筐体部分が、ヒンジ部Ｈで互いに連結された図示外の上側筐体及び下側筐体５で構成されている。
【００５６】
下側筐体５は、略薄型箱状に形成されており、特にこの折畳みタイプの携帯電話機にあっては、下側筐体５の幅（Ｘ）方向の大きさが、これに直交する前後（Ｙ）方向の大きさに対して比較的広い、幅広形状となっており、表面５Ａには図示外の各種の操作キーなどを取付けている。一方、下側筐体５の背面５Ｂには、凹状に窪んだ電池室５１を形成しており、この電池室５１には後述する電池パック６を着脱自在に取付けている。
【００５７】
電池室５１は、下側筐体５の背面下部側、つまり、背面全体の略半分或いはそれ以上の領域に亙って形成されており、特にこの折畳みタイプの携帯電話機にあっては、この電池室５１も、下側筐体５の幅広形状に合わせて、前後（Ｙ）方向（長手方向）に比べて横（Ｘ）方向（幅方向、短手方向）が比較的広めの幅広形状で、かつ、略方形状に形成されている。この電池室５１には、第１の実施形態の電池室２１と同様に、左右両側に低い内壁面５１Ａ，５１Ｂ（以下、これを「側壁面」とよぶ）が長尺状に形成されているとともに、これと直交する上下両側に高い壁面５１Ｃ（以下、これを「隔壁面」とよぶ）及び低い内壁面５１Ｄがそれぞれ短尺状に形成されている。なお、この隔壁面５１Ｃには、左右両側にそれぞれ後述するロック穴５３が穿設されている。
【００５８】
また、この電池室５１には、各側壁面５１Ａ、５１Ｂにそれぞれ臨む左右の細長形状の枠面５１Ｅ，５１Ｆが間隔Ｗを保持して平行状態で一対設けてあり、ここに後述する電池パック６の後述する受け部６２がスライド移動するようになっている。
【００５９】
さらに、この電池室５１には、電池パック６側との電気的接合を図るためのピン端子５２を筐体５の床面側に設置している。
【００６０】
このピン端子５２は、複数（通常、例えば３個）のものが列状に配置される構成となっているが、棒状タイプの携帯電話機とは異なり、この折畳みタイプ（開閉型）にあっては、前述したように、下側筐体５の幅（Ｘ）方向が幅広形状となっており、この幅方向については、電池室５１についても比較的スペースに余裕があるので、この余裕のある幅方向のスペースＳを利用して、ピン端子５２を幅方向と直交する前後（Ｙ）方向に平行に設けている。
【００６１】
また、本実施の形態でも、携帯電話機の図示外の主要な電子部品が、携帯電話機の本体１の下側筐体５内部において、専ら、電池室５１のある下部を避けた上部に設置されているため、このピン端子５２は、その下側筐体５の上部に近い電池室５１の上部寄りに設置することにより、第１の実施の形態と同様に、電源からの給電の際に電圧降下の発生などを可及的に抑えるようになっている。
【００６２】
また、この電池室５１には、衝突回避機構７の一部を構成する略扇形状に窪んだ昇降部７１を有している。この昇降部７１は、図９に示すように、側壁面５１Ａ，５１Ｂにおいて、隔壁面５１Ｃと交差する角隅部分の近傍に設けられており、隔壁面５１Ｃに対向して凹状扇状（滑らかな円弧状）に湾曲した曲面７１Ａ（以下、これを凹状曲面とよぶ）を形成している。この凹状曲面７１Ａは、電池パック６の装着時に、この電池パック６の先端部を装着（α）方向に向けて円滑に降下させるものであり、曲率（或いは曲率半径）は、ピン端子５２の設置位置、つまり隔壁面５１Ｃからの距離及び側壁面５１Ａ，５１Ｂの高さなどから適宜決定されている。
【００６３】
一方、この凹状曲面５１Ａへと続く下側筐体５の左右両側面には、図９及び図１０に示すように、各側壁面５１Ａ、５１Ｂにそれぞれ臨む左右の細長形状の枠面５１Ｅ，５１Ｆ（これが押上部を構成する。以下、「押上面」とよぶ）が間隔Ｗを保持した平行状態で一対設けてあり、これに後述する電池パック６の受け部６２がスライド移動しながらピン端子５２を乗り越えていき、ピン端子２２との衝突を回避するようになっている。
【００６４】
電池パック６は、本体部分が略薄板状に形成されており、電池室５１のピン端子５２の設置位置に対応する部位、即ち、裏面部分の側面寄りの端部側に、裏面電極６１をピン端子５２と同数直列状に設置している。
【００６５】
また、この電池パック６には、衝突回避機構７の一部を構成する略扇形状に突出した乗上げ部７２を有している。この乗上げ部７２は、昇降部７１に対向する電池パック６裏面の先端部の左右両側に突設してあり、昇降部７１の扇形状の凹状曲面７１Ａに滑動しながら昇降部７１をスムースに降下していくことにより、電池パック３の装着時にピン端子２２と衝突するのを回避するようになっている。
【００６６】
そして、この乗上げ部７２には、本体部分の先端面６５（図１０参照）から垂直下方に延び、隔壁面５１Ｃに対向する平面７２Ａ（以下、これを「垂下面」とよぶ）を有している。また、この乗上げ部７２には、この垂下面７２Ａとは逆側に、凸状扇形（滑らかな円弧状）に湾曲した凸状曲面７２Ｂを有している。この凸状曲面７２Ｂは、電池パック６を最後まで装着する時に、後述するクリーニング領域δ（クリーニングストローク）（図１６参照）を確保して押上部５１の凹状曲面５１Ａとほぼ嵌合するように、凹状曲面５１Ａと略同等の曲率（曲率半径）を有している。
【００６７】
なお、ここで、クリーニング領域δ（クリーニングストローク）とは、電池パック３の裏面電極３１に付着する、或いは電池室２１のピン端子２２に付着するごみその他の絶縁物を、電池パック３の着脱の際に同時にクリーニングして除去するためのものであり、この領域だけ電池パック３の裏面電極３１が電池室２１のピン端子２２に接触・摺動するようになっている。
【００６８】
さらに、この電池パック６には、図９及び図１０に示すように、左右両側面において、幅（Ｘ）方向と直交する前後（Ｙ）方向全体に亙り、段状の受け部６２が、間隔Ｗを隔て互いに設けてあり、電池室５１のスライド面５１Ｅ，５１Ｆ上をスライドしながら装着させる時のガイド手段を構成している。
【００６９】
なお、電池室５１へ電池パック６を装着後に、この電池パック６の浮上り防止及び脱出防止のため、携帯電話機の本体１の下側筐体５と電池パック６とにロック機構を備えている。
【００７０】
即ち、第１の実施の形態と同様に、携帯電話機の本体１の下側筐体５の電池室５１に臨む隔壁面５１Ｃには、図９に示すように、ロック穴５３を設けるとともに、電池パック６にはそのロック穴５３に係合するロック爪６３を突設しており、これらがロック機構を構成している。そして、電池室５１へ電池パック６を装着する際には、第１の実施の形態と同様に、前述の衝突回避機構７による乗上げ動作に引き続き、電池パック３を電池室２１の床面に沿ってスライドさせながらロック動作を連続して行うようになっているが、この乗上げ動作後のロック動作は、電池パック６の裏面電極６１が電池室５１内のピン端子５２に接触・摺動しながら行う、換言すれば、クリーニング動作を行いながらロックされるようになっている。
【００７１】
また、本実施の形態でも、接続端子として、電池室５１にピン端子５２を突設したが、従来用いられているばね端子（図１７において１０３で示す）であってもよい。
【００７２】
つぎに、本実施形態に係る携帯電話機の作用について、図１１乃至図１６を参照しながら説明する。
【００７３】
（１）例えば電池パック６を下側筐体５の電池室５１へ装着させる場合には、図１１に示すように、電池パック６を携帯電話機の本体１の下側筐体５において、基端部方向（図９において、右側下端部）から矢印（α）方向に送り出す。
【００７４】
これにより、図１１において、電池パック６の乗上げ部７２近傍の左右両側にある側壁６４が電池室５１の左右両側にある側壁面５１Ａ，５１Ｂで挟み込まれた状態で、電池室５１へ電池パック６の先端部を差込み、そのまま、つまり電池パック６を先端部が低くなるような傾斜状態で、左方へスライドさせていく。
【００７５】
即ち、電池パック６は、先端部が衝突回避機構７に到達するまでの間、側壁６４が側壁面５１Ａ，５１Ｂに挟持された状態で左右方向をガイドされるとともに、凸状曲面７２Ｂがスライド面５１Ｅ，５１Ｆに支承した状態で上下方向をガイドされながら、隔壁面５１Ｃに向けて前進移動する（第１動作）。
【００７６】
このようにして、図１２に示すように、この電池パック６がスライド面５１Ｅ，５１Ｆに沿ってスライド移動して昇降部７１の扇形状の凹状曲面７１Ａまで移動することにより、電池パック６下部の先端面６５が電池室５１のピン端子５２に係止することなく（図１１において、ピン端子５２の保護のためにクリアランスｄの遊びを設けているので）、スムースに通り抜けることができる。
【００７７】
（２）次に、図１３に示すように、電池パック６は、回転運動を開始し、乗上げ部７２の凸状曲面７２Ｂが凹状曲面７１Ａの曲面に沿って降下し始める（第２動作）。
【００７８】
（３）そして、図１４に示すように、電池パック６は、乗上げ部７２の凸状曲面７２Ｂが凹状曲面７１Ａの曲面に沿ってスムースに降下しながら、換言すれば、回転軌道を描きながら、この電池パック６の先端部に設けたロック爪６３が、ロック穴５３に入り込み始める（第３動作）。
【００７９】
（４）その後、図１５に示すように、電池パック６は、乗上げ部４２の凸状曲面４２Ｂが凹状曲面４１Ａの曲面に沿って回転軌道を描きながら降下していくとともに、ロック爪６３がロック穴６３の奥部へ入り込んでいく（第４動作）。
【００８０】
（５）このようにして、電池パック６は、乗上げ部７２の凸状曲面７２Ｂが電池室５１の凹状曲面７１Ａの最後（最下位置）まで完全に滑り降りる。そして、次に、図１６に示すように、電池パック６の受け部６２が、押上面５１Ｅ，５１Ｆに沿って一定距離だけスライドしながら前進し、クリーニング動作を行う。そして、この電池パック６は、クリーニング領域δ（クリーニングストローク）だけ前進移動したところで、先端面６５が隔壁面５１Ｃに係止して着脱動作が終了する（第５動作）。
【００８１】
これにより、電池パック６の裏面電極６１が電池室５１内のピン端子５２に接触し、電気的に導通することとなる。また、クリーニング動作の間、電池パック６の裏面電極６１及び電池室５１内のピン端子５２が互いに接触・摺動されるので、これらに付着した埃やかすなどの絶縁不良の原因となる付着物が清掃・除去され、双方の電気的接触が確実となる。
【００８２】
なお、電池パック６を電池室５１から取り外すときの脱出動作については、以上のような電池パック６の装着操作の場合とは全く逆の動作を行うことにより、がたつきを起こすことなく、滑らかに電池パック６を取り出すことができるとともに、電池パック６がピン端子５２に衝突したり摺動するのを、防止することができる。
【００８３】
本発明を詳細にまた特定の実施態様を参照して説明したが、本発明の精神と範囲を逸脱することなく様々な変更や修正を加えることができることは当業者にとって明らかである。
【産業上の利用可能性】
【００８４】
本発明によれば、筐体の操作部及び表示部を有する表面側とは反対の背面側の下部に略矩形凹状に窪んだ電池室を設けた携帯電子機器の本体と、本体の筐体背面に設けた電池室に着脱自在に収納する電池パックとを備えた携帯電子機器であって、電池室を形成するために電池パックの装着方向に沿った両側に設けた内壁面上で、かつ、電池室を形成するために内壁面に直交して設けた突当壁面と交わる角隅部分の近傍で、電池室に設けた接続端子に対応して接続端子よりも高く設けた、略扇形状の昇降部及び適宜形状の押上部と、昇降部及び押上部に対面する電池パック裏面の電池パックの幅方向の両側に、昇降部及び押上部の扇形状の面に滑動しながら昇降して電池室に設けた接続端子を乗り越えるために扇形状に突出する乗上げ部とを設けた衝突回避機構を備えたものであり、電池パックの着脱が円滑に行えるとともに、電池パックと携帯電子機器本体との電気的接続を確実に行うことができる。
【００８５】
また、本発明では、携帯電子機器の本体側の筐体部の昇降部と、携帯電子機器に電池パックを装着したときの電池パックの乗上げ部との間に、接続端子又は電極の外面を清掃するクリーニング動作のための領域を確保しており、電池パックの着脱のたびに、この着脱動作に連動して接続端子及び電極の清掃が行えるので、長期間に亙り使用したり、埃などの多い環境下でも、電気的な接触不良の発生を防止できる。
【図面の簡単な説明】
【００８６】
【図１】本発明の第１の実施の形態に係る携帯電話機の本体及び電池パックを示す概略斜視図
【図２】図１に示す携帯電話機の本体及び電池パックにそれぞれ設けた衝突回避機構を示す説明図
【図３】図１に示す携帯電話機の本体に設けたピン端子を電池パックが乗り越える時の状態を示す説明図
【図４】本発明の第１の実施の形態に係る携帯電話機の本体の電池室へ電池パックを装着する際の第１動作を示す説明図
【図５】同様に、電池室へ電池パックを装着する際の第２動作を示す説明図
【図６】同様に、電池室へ電池パックを装着する際の第３動作を示す説明図
【図７】同様に、電池室へ電池パックを装着する際の第４動作を示す説明図
【図８】同様に、電池室へ電池パックを装着する際の第５動作を示す説明図
【図９】本発明の第２の実施の形態に係る携帯電話機の本体及び電池パックを示す概略斜視図
【図１０】図９に示す携帯電話機の本体に設けたピン端子を電池パックが乗り越える時の状態を示す説明図
【図１１】本発明の第２の実施の形態に係る携帯電話機の本体の電池室へ電池パックを装着する際の第１動作を示す説明図
【図１２】図１１に示す第１動作の最終状態を示す説明図
【図１３】同様に、電池室へ電池パックを装着する際の第２動作を示す説明図
【図１４】同様に、電池室へ電池パックを装着する際の第３動作を示す説明図
【図１５】同様に、電池室へ電池パックを装着する際の第４動作を示す説明図
【図１６】同様に、電池室へ電池パックを装着する際の第５動作を示す説明図
【図１７】従来の携帯電話機の本体及び電池パックを示す概略斜視図
【符号の説明】
【００８７】
１  本体
２  筐体
２Ａ  表面
２Ｂ  裏面
２１  電池室
２１Ａ、２１Ｂ  側壁面
２１Ｃ  隔壁面（突当壁面）
２１Ｄ  壁面
２１Ｅ、２１Ｆ  スライド面
２２  ピン端子
２３  ロック穴
３  電池パック
３１  裏面電極
３２  受け部
３３  ロック爪
３４  側壁
３５  先端面
４  衝突回避機構
４１  昇降押上部
４１Ａ  凹状曲面
４２  乗上げ部
４２Ａ  垂下面
４２Ｂ  凸状曲面
５  下側筐体
５Ａ  表面
５Ｂ  背面
５１  電池室
５１Ａ、５１Ｂ  側壁面
５１Ｃ  隔壁面
５１Ｅ、５１Ｆ  押上面
５２  ピン端子
５３  ロック穴
６  電池パック
６１  裏面電極
６２  受け部
６３  ロック爪
６４  側壁
６５  先端面
７  衝突回避機構
７１  昇降部
７１Ａ  凹状曲面
７２  乗上げ部
７２Ｂ  凸状曲面
α  電池パックの装着方向
ｄ  クリアランス（遊び）
δ  クリーニング領域（クリーニングストローク）
Ｈ  ヒンジ部
Ｓ  スペース
Ｘ  幅方向
Ｙ  前後方向
【手続補正２】
【補正対象書類名】特許請求の範囲
【補正対象項目名】全文
【補正方法】変更
【補正の内容】
【特許請求の範囲】
【請求項１】
筐体の操作部及び表示部を有する表面側とは反対の背面側の下部に略矩形凹状に窪んだ電池室を設けた携帯電子機器の本体と、前記本体の前記筐体背面に設けた前記電池室に着脱自在に収納する電池パックとを備えた携帯電子機器であって、
前記電池室を形成するために前記電池パックの装着方向に沿った両側に設けた内壁面上で、かつ、前記電池室を形成するために前記内壁面に直交して設けた突当壁面と交わる角隅部分の近傍で、前記電池室に設けた接続端子に対応して前記接続端子よりも高く設けた、略扇形状の昇降部及び適宜形状の押上部と、
前記昇降部及び押上部に対面する前記電池パック裏面の前記電池パックの幅方向の両側に、前記昇降部及び前記押上部の前記扇形状の面に滑動しながら昇降して前記電池室に設けた接続端子を乗り越えるために扇形状に突出する乗上げ部と
を設けた衝突回避機構を備えたことを特徴とする携帯電子機器。
【請求項２】
前記携帯電子機器の本体側の筐体部の前記昇降部と、前記携帯電子機器に前記電池パックを装着したときの前記電池パックの前記乗上げ部との間に、前記接続端子又は電池パックに備えた裏面電極の外面を清掃するクリーニング動作のための領域を確保したことを特徴とする請求項１に記載の携帯電子機器。
【請求項３】
携帯電子機器は、本体側の筐体が棒状を有する携帯電話機器であるとともに、
前記衝突回避機構は、
前記携帯電話機器の本体側の筐体に設けた前記昇降部を、前記電池パックの装着方向に向けて配向した略凹状円弧面で構成するとともに、
前記電池パックの前記乗上げ部を、前記電池パックの脱出方向に向けて配向した略凸状円弧面で構成し、かつ、
前記電池室内には、複数の前記接続端子を前記本体側の筐体の短手方向に沿って配設しているとともに、前記電池パックの裏面には前記電池室の前記接続端子に導通する複数の裏面電極を前記接続端子と対応する配置状態で設けたことを特徴とする請求項１又は２に記載の携帯電子機器。
【請求項４】
携帯電子機器は、本体側の筐体部がヒンジ部で互いに連結された上側筐体及び下側筐体を有する折畳式の携帯電話機器であるとともに、
前記衝突回避機構は、
前記携帯電子機器の本体側の前記下側筐体に設けた前記昇降部を、前記電池パックの装着方向に向けて配向した略凹状円弧面で構成するとともに、
前記電池パックの前記乗上げ部を前記電池パックの脱出方向に向けて配向した略凹状円弧面で構成し、
前記電池室内には、複数の前記接続端子を前記下側筐体の長手方向に沿って配設しているとともに、前記電池パックの裏面には前記電池室の前記接続端子に導通する複数の裏面電極を前記接続端子と対応する配置状態で設けたことを特徴とする請求項１又は２に記載の携帯電子機器。
【請求項５】
前記電池室内の複数の接続端子は、電池室の床面から垂直上方に突出しするとともに、前記垂直上方に変移自在に弾性力が付勢されたピン端子で構成したことを特徴とする請求項１乃至４のいずれか１項に記載の携帯電子機器。
【国際調査報告】
2004034488.tif 000020
2004034488.tif 000021
2004034488.tif 000022
2004034488.tif 000023